(57)【要約】【課題】地上に存在する異物を踏んだときに、前記異物が通気部分に残りにくく、内部に進入しにくくする。【解決手段】開口２ａ〜２ｅが形成されている下底層２と、下底層２の上側に配置され、左右方向に延び前後方向に隙間３ａを存して、各開口２ａ〜２ｅを複数本通過するように配置されるすだれ材３ｂによって形成されている中底層３と、中底層３の上側に配置される通気透湿防水層４と、通気透湿防水層４の上側に配置され下底層２の開口に対応して貫通穴５ａが設けられている上底層５ａとを備え、隙間３ａの前後方向長さは、すだれ材３ｂの前後方向長さよりも小さい。【選択図】  図２
2018086228.tif 000002
【特許請求の範囲】
【請求項１】
幅広の開口が形成されている下底層と、
前記下底層の上側に配置され、左右方向に延び前後方向に隙間を存して、前記開口内を複数本通過するように配置されるすだれ材によって形成されている中底層と、
前記中底層の上側に配置される通気透湿防水層と、
前記通気透湿防水層の上側に配置され前記下底層の開口に対応して貫通穴が設けられている上底層とを備え、
前記隙間の前後方向長さは、前記すだれ材の前後方向長さよりも小さいことを特徴とする靴底。
【請求項２】
前記開口の幅は、前記開口が設けられている部分の靴底幅の１５〜２５％程度である請求項１記載の靴底。
【請求項３】
前記下底層は、足の踏まず部から踏み付け部に対応する部分の外側部分と内側部分とが、前後方向において複数の領域に分けられ、
各前記領域において、前記踏まず部の内側部分に対応する領域を除き、前記開口が形成されている請求項１または２記載の靴底。
【請求項４】
前記下底層は、足の踏まず部から踏み付け部に対応する部分の外側部分と内側部分とが、前後方向において３つの領域に分けられ、
各前記領域において、前記踏まず部の内側部分に対応する領域を除き、前記開口が中央寄りに形成されている請求項３記載の靴底。
【請求項５】
前記下底層は、足の踏まず部から踏み付け部に対応する部分の外側部分と内側部分とが、前後方向において３つの領域に分けられ、
各前記領域において、前記踏まず部の内側部分に対応する領域を除き、前記開口が形成される一方、前記踏まず部の外側部分に対応する領域は、前記開口が２つ形成され、後側の開口が前側の開口よりも中央寄りである請求項３記載の靴底。
【請求項６】
前記中底層は、前記隙間が、前記すだれ材の前後方向長さの半分程度とされている、請求項１〜５のいずれか１つに記載の靴底。
【請求項７】
前記すだれ材の前後方向の長さが、４〜５ｍｍ程度とされている請求項６に記載の靴底。
【請求項８】
請求項１〜７のいずれか１つに記載の靴底を用いたことを特徴とする靴。
【発明の詳細な説明】
【技術分野】
【０００１】
本発明は、通気性、透湿性を有する靴底及びそれを用いた靴に関する。
【背景技術】
【０００２】
従来、紳士靴などの靴において、靴内部の湿気は外部に排出されにくく、靴内部が蒸れる場合がある。
【０００３】
そこで、完全防水靴（完全防水を目的とする特殊靴）以外の靴を対象とするものであって、足の蒸れを防ぐ通気性を有しているため快適に着用することができ、しかも日常の靴の着用において何ら支障のない程度の防水性を確保した（つまり日常防水靴としての充分な防水性を備えた）靴用防水内装部材が提案されている（例えば、特許文献１参照）。
【０００４】
この部材は、繊維径１０μm 以下のポリエステル繊維から作製され、目付量が５０〜２５０g/m2で、かつ、エンボス加工および撥水加工されたメルトブローン法不織布を主基材とするか、そのメルトブローン法不織布の少なくとも片面をトリコットで補強した材料を主基材とし、前記のエンボス加工および撥水加工されたメルトブローン法不織布 のJIS L
1096による通気度が１〜２５cc/cm2  /secの範囲内にあり、かつJIS L 1092A による耐
水圧が５０〜２０００mmH2O の範囲内にあるものである。
【０００５】
また、靴底（本底）に通気孔を開け、靴底と、靴底の内側の中底との間に通気透湿防水膜を配置して、靴底からも靴内部の湿気を排出する靴底構造が提案されている（例えば、特許文献２参照）。
【先行技術文献】
【特許文献】
【０００６】
【特許文献１】特開２００３−３１９８０３号公報
【特許文献２】特開２０１５−２２８９９１号公報
【発明の概要】
【発明が解決しようとする課題】
【０００７】
特許文献１記載の構造では、貫通孔を設け、その貫通孔が、通気透湿防水膜と中底との積層部分まで延びているので、地上に存在する異物を踏んだときに、異物が、通気部分である貫通孔に入り込んで前記貫通孔を塞いだり、場合によっては異物が通気透湿防水膜を破り、中底に至るおそれがある。
【０００８】
この発明は、地上に存在する異物を踏んだときに、前記異物が通気部分に残りにくく、内部に進入しにくい靴底及びそれを用いた靴を提供することを目的とする。
【課題を解決するための手段】
【０００９】
請求項１の発明は、幅広の開口が形成されている下底層と、前記下底層の上側に配置され、左右方向に延び前後方向に隙間を存して、前記開口内を複数本通過するように配置されるすだれ材によって形成されている中底層と、前記中底層の上側に配置される通気透湿防水層と、前記通気透湿防水層の上側に配置され前記下底層の開口に対応して貫通穴が設けられている上底層とを備え、前記隙間の前後方向長さは、前記すだれ材の前後方向長さよりも小さいことを特徴とする。ここで、左右方向とは靴底の幅方向を、前後方向とは靴底の長手方向を意味する。
【００１０】
このようにすれば、地上に存在する異物を踏んで、異物が開口内に進入しても、開口は幅広で下側から見て複数本のすだれ材が通過するほど大きいので、前記異物が開口内に残ることがない。また、中底層において、すだれ材の間に形成される隙間の前後方向長さはすだれ材の前後方向長さよりも小さいので、開口の上側はほとんどすだれ材によって覆われることとなり、異物の進入がすだれ材によって遮られ、異物が通気透湿防水層まで達することがない。
【００１１】
この場合、請求項２に記載のように、前記開口の幅は、前記開口が設けられている部分の靴底幅の１５〜２５％程度である，ことが望ましい。
【００１２】
そして、請求項３に記載のように、前記下底層は、足の踏まず部から踏み付け部に対応する部分の外側部分と内側部分とが、前後方向において複数の領域に分けられ、各前記領域において、前記踏まず部の内側部分に対応する領域を除き、前記開口が形成されている、ことが望ましい。
【００１３】
このようにすれば、大きい開口を必要な部位に分散して確保することができ、効率のよい通気が実現される。
【００１４】
その場合、請求項４に記載のように、前記下底層は、足の踏まず部から踏み付け部に対応する部分の外側部分と内側部分とが、前後方向において３つの領域に分けられ、各前記領域において、前記踏まず部の内側部分に対応する領域を除き、前記開口が中央寄りに形成されている構造としたり、請求項５に記載のように、前記下底層は、足の踏まず部から踏み付け部に対応する部分の外側部分と内側部分とが、前後方向において３つの領域に分けられ、各前記領域において、前記踏まず部に対応する領域を除き、前記開口が中央寄りに形成される一方、前記踏まず部に対応する領域は、外側部分に２つの開口が形成されている構造としたりすればよい。
【００１５】
請求項６に記載のように、前記中底層は、前記隙間が、前記すだれ材の前後方向長さの半分程度とされている、ことが望ましい。
【００１６】
請求項７に記載のように、前記すだれ材の前後方向の長さが、４〜５ｍｍ程度とされている、ことが望ましい。
【００１７】
請求項８の発明は、靴であって、請求項１〜６のいずれか１つに記載の靴底を用いたことを特徴とする。
【発明の効果】
【００１８】
本発明は、幅広の開口の上側に中底層（すだれ材）を挟んで通気透湿防水層を設けているので、地上に存在する異物を踏んで、異物が開口内に進入しても、異物がすだれ材によって遮られ、通気透湿防水層まで達することがない。また、開口は幅広で、下側から見て複数本のすだれ材が通過するほど大きいので、前記開口内に進入した異物が開口内に残ることがない。
【図面の簡単な説明】
【００１９】
【図１】本発明の一実施の形態である靴底の断面図である。
【図２】（ａ）〜（ｄ）はそぞれぞれ前記靴底の構成要素を示す図である。
【図３】（ａ）（ｂ）はそれぞれ前記靴底を下側から見た図である。
【図４】（ａ）（ｂ）はそれぞれ他の実施の形態の靴底を下側から見た図である。
【図５】（ａ）（ｂ）はそれぞれ別の実施の形態の靴底を下側から見た図である。
【図６】足の裏の説明図である。
【発明を実施するための形態】
【００２０】
以下、本発明の実施の形態を図面に沿って説明する。なお、本明細書の説明においては、足１０１の裏は、図６に示すように、前側から、足趾１０２、踏み付け部１０３（前足部）、踏まず部１０４（中足部）、かかと部１０５といい、中央線Ｌを境に親指１０２ａがある側を内側部分、小指がある側を外側部分１０２ｂということとする。
【００２１】
図１に示すように、靴底１は、例えば紳士靴（図示せず）に用いられるもので、下底層２、中底層３、通気透湿防水層４及び上底層５を下側から順に有する４層の積層構造である。これら各層２〜５は、それぞれ、靴底として公知あるいは周知な材料によって形成されている。
【００２２】
下底層２には、図２（ａ）に示すように、足１０１の踏まず部１０４から踏み付け部１０３に対応する部分の外側部分と内側部分とが、それぞれ前後方向において３つの領域（外側部分はＳ１〜Ｓ３、内側部分はＳ４〜Ｓ６）に分けられ、各領域において、踏まず部１０４の内側部分に対応する領域Ｓ６を除き、矩形状の、幅広の開口２ａ〜２ｅが靴底中央寄りに形成されている。ここで、幅広とは、左右方向に線を引いた場合、その線上において開口２ａ〜２ｅの幅に相当する長さが、開口２ａ〜２ｅが設けられている部分の長さ（靴底総幅）の１５〜２５％程度であることを意味する。
【００２３】
下底層２の上側に配置される中底層３は、図２（ｂ）に示すように、左右方向に延び前後方向に隙間３ａ（略２ｍｍ）を存して配置される多数の、断面略矩形状のすだれ材３ｂ（前後方向長さ略４〜５ｍｍ）によって形成される。隙間３ａの前後方向長さは、すだれ材３ｂの前後方向長さよりも小さく、通気可能部分を形成している。
【００２４】
中底層３の上側に配置される通気透湿防水層４は、図２（ｃ）に示すように、例えば、ポリテトラフルオロエチレン多孔質フィルム、ウレタン系無孔質フィルム、ウレタン系多孔質フィルム、親水性ポリエステルフィルム等のフィルム状に形成された素材や、ポリエチレン、ポリプロピレン、ポリエステル等からなる不織布、メルトブローン不織布によって形成されている。特に、ポリエチレン、ポリプロピレン、ポリエステル等からなる不織布、メルトブローン不織布は、通気性がよい。通気透湿防水層４は、少なくとも通気性または透湿性と、防水性とを有していればよく、より好ましくは、通気性と透湿性とを有し、さらに防水性を兼ね備えているものである。また、このような通気透湿防水素材には、例えばポリウレタンやセルロースのナノファイバーが用いられていてもよい。ナノファイバーを用いた通気透湿防水素材を構成することによって、メルトブローン不織布を用いた通気透湿防水素材の内装体の場合と比較して、通気性を保ちつつ耐水圧や耐屈曲性を高めることができる。また、ナノファイバーを用いた通気透湿防水素材は、伸びがよく、伸びても性能が変化しにくく、ソフトで、製靴の際にシワが入りにくく仕上がりが固くなりにくい。特に、ポリウレタンのナノファイバーを用いた通気透湿防水素材は、伸び、屈曲性、耐久性に優れている。具体的には、例えば特開２００３−３１９８０３号公報に記載されている靴用防水内装部材を用いることができる。すなわち、この部材は、繊維径１０μm 以下のポリエステル繊維から作製され、目付量が５０〜２５０g/m2で、かつ、エンボス加工および撥水加工されたメルトブローン法不織布を主基材とするか、そのメルトブローン法不織布の少なくとも片面をトリコットで補強した材料を主基材とし、前記のエンボス加工および撥水加工されたメルトブローン法不織布 のJIS L 1096による通気度が１〜２
５cc/cm2/secの範囲内にあり、かつJIS L 1092A による耐水圧が３００〜２０００mmH2O の範囲内にあるものである。
【００２５】
通気透湿防水層４の上側に配置される上底層５は、図２（ｄ）に示すように、防水層で、下底層２の開口２ａ〜２ｅに対応して、土踏まずから足指の付け根が当たる部分までの
領域に、表側から裏側まで貫通する複数の貫通穴５ａからなる穴群Ｇ１〜Ｇ５が設けられている。各穴群Ｇ１〜Ｇ５の貫通穴５ａは２列に配置され、各群Ｇ１〜Ｇ２は、開口２ａ〜２ｅ内に配置されている。つまり、各開口２ａ〜２ｅに対し、それらより開口面積が小さい複数の貫通穴５ａ（穴群Ｇ１〜Ｇ５）が中底層３（すだれ材３ｂの間の隙間３ａ）や通気透湿防水層４を通じて、通気可能に連通している。
【００２６】
上底層５は、例えばゴムで形成される。また、ゴムの他、例えば、ポリウレタン、ＥＶＡ、ＴＰＵ（熱可塑性ポリウレタン組成物）のようなウレタン系の樹脂等の樹脂を繊維構造物に含浸したりして形成してもよく、防水性を有していればよい。
【００２７】
各層２〜５が積層されてなる靴底１では、下底層２の開口２ａ〜２ｅと上底層５の穴群Ｇ１〜Ｇ５（貫通穴５ａ）とが、それぞれ中底層３及び通気透湿防水層４を挟んで対向する。そして、靴底１とされた状態で、下側から見ると、図３（ａ）に示すように、各開口２ａ〜２ｅ内を、左右方向に延び前後方向に隙間３ａを存して配置されるすだれ材３ｂが複数本通過し、開口２ａ〜２ｅ内に複数の隙間３ａが配置される構造となる。このように開口２ａ〜２ｅは、幅広で、複数本のすだれ材が通過するのが見えるほど、開口面積が大きくなっている。なお、図３（ａ）に示す靴底１（下底層２）では、開口２ａ〜２ｅの間などに溝２ｆを形成しているが、図３（ｂ）に示す靴底１Ａ（下底層２Ａ）のように、下底層２の溝２ｆを省略することも可能である。
【００２８】
上述した靴底１によれば、靴底１が設けられた紳士靴の靴内部と外部との間で、下底層２の開口２ａ〜２ｅ、中底層３の隙間３ａ、通気透湿防水層４および上底層５の貫通穴５ａを通じて、空気が出入りする。
【００２９】
雨水のような、靴外部の水は、下底層２の開口２ａ〜２ｅ、中底層３の隙間３ａを通じて、靴内部と流入しようとするが、中底層３の隙間３ａの上側を通気透湿防水層４が閉塞しているので、上底層５の貫通穴５ａ内まで水は流入しない。
【００３０】
また、歩行時において、靴底１の踏み付けがされていない状態から、踏み付けがされている状態に移ると、上底層５、通気透湿防水層４及び中底層３が下方に撓んで下底層２の開口２ａ〜２ｅ内へ入り込み、開口２ａ〜２ｅ内の空間が押しつぶされる。このとき、開口２ａ〜２ｅの開口面積が大きいので、開口２ａ〜２ｅ内の空間が押しつぶされやすい。
【００３１】
そして、中底層３の隙間３ａや下底層２の開口２ａ〜２ｅ内に雨水等の水があれば、水は、下底層２の下面から靴底１の外部に流出する。また、水がない状態では、中底層３の隙間３ａや下底層２の開口２ａ〜２ｅ内の空気が押し出される。
【００３２】
一方、開口２ａ〜２ｅ内の空間が押しつぶされた後、踏み付けがされていない状態に戻るときに、靴の外部の空気が下底部２の開口２ａ〜２ｅを通じて靴底内に流入する。
【００３３】
このように、靴を履いている者の歩行や踏付けを利用して、開口２ａ〜２ｅの空間容積を大きく変化させ、ポンプ作用を効果的に発揮させるので、効率的な排水や換気を実現することができる。
【００３４】
靴底１の底面において開口２ａ〜２ｅが設けられているため、雨水等の靴底外部の水が靴底内部に入りやすいが、中底層３と上底層５との間に通気透湿防水層４を配置しているので、靴内部への水の浸入を防止できる。よって、通気透湿防水層４を設けるという簡易な構造で、靴内部への水の浸入を防止しつつ、靴内部との通気を確保することができる。
【００３５】
また、中底層３において、すだれ材３ｂの間に形成される隙間３ａの前後方向長さはす
だれ材３の前後方向長さよりも小さく、幅広の開口２ａ〜２ｅの上側はほとんどすだれ材３ｂによって覆われているので、開口２ａ〜２ｅ内に異物が進入しても、異物がすだれ材３ｂ（中底層３）によって遮られ、通気透湿防水層４まで達することがない。よって、通気透湿防水層４が保護され、通気透湿防水層４の破損が防止される。そして、開口２ａ〜２ｅは幅広で、下側から見て複数本のすだれ材３ｂが通過するほど大きいので、異物が開口２ａ〜２ｅ内に残ることもない。
【００３６】
以上に開示された実施の形態は、すべて例示であって、本発明はこれらに制限されるものではなく、適宜変更して実施することができる。
(i)下底層に設ける開口の形状・配置は、靴底の大きさや形状によって適宜変更することができる。例えば図４（ａ）（ｂ）に示すようにすることも可能である。図４（ａ）に示す靴底１Ｃは溝２ｆを有するものであり、図４（ｂ）に示す靴底１Ｄは溝を有さないものである。
(ii)開口の形状を、図５（ａ）（ｂ）に示すように、円形状とすることも可能である。図５（ａ）に示す靴底１Ｅは溝２ｆを有するもので、図５（ａ）に示す靴底１Ｆは溝２ｆを有さないものである。そして、開口２ａ’〜２ｅ’のうち土踏まず部の外側部分に設けられる開口２ｃ’，２ｃ’は２つとされ、後側の開口２ｃ’が前側の開口２ｃ’よりも中央寄りとされている。
(iii)下底層は、踏まず部から踏み付け部に対応する部分の外側部分と内側部分とが、前後方向において３つの領域に分ける必要なく、複数の領域に分けられ、各前記領域において、前記踏まず部の内側部分に対応する領域を除き、幅広で下側から見て複数本のすだれ材が通過する大きさの開口が形成されていればよい。
(iv)前記実施の形態では、本発明に係る靴底を紳士靴に適用しているが、靴の種類に制限されることなく適用可能であり、婦人靴、運動靴などのその他の靴にも適用することができる。
【符号の説明】
【００３７】
１〜１Ｆ  靴底
２  下底層
２ａ〜２ｅ  開口
２ｆ  溝
３  中底層
３ａ  隙間
３ｂ  すだれ材
４  通気透湿防水層
５  上底層
５ａ  貫通穴
【図１】
2018086228.tif 000003
【図２】
2018086228.tif 000004
【図３】
2018086228.tif 000005
【図４】
2018086228.tif 000006
【図５】
2018086228.tif 000007
【図６】
2018086228.tif 000008